(57)【要約】【課題】小型化を図ることが可能で、且つ、コンデンサの放電時間を比較的短くすることが可能な点灯装置を提供する。【解決手段】点灯装置２０は、スイッチング素子Ｑ１を有し入力電圧を変換して出力電圧を生成するコンバータ回路３と制御回路５とを備える。コンバータ回路３の入力側には、コンデンサＣ１が並設接続されると共に、出力側にコンデンサＣ２が並列接続される。コンデンサＣ１の容量は、コンデンサＣ２の容量よりも小さく設定されている。コンデンサＣ１の高電位側とコンデンサＣ２の高電位側の間には、放電回路１５が設けられる。制御回路５は、コンデンサＣ２の両端電圧を監視する監視部を有する。放電回路１５は、コンバータ回路３の入力電圧が出力電圧よりも小さくなったとき、コンデンサＣ２に蓄積された電荷を自動的に放電する。制御回路５は、上記両端電圧が予め設定された所定電圧に達するまでスイッチング素子Ｑ１を制御し続ける。【選択図】図１
2014241261.tif 000002
【特許請求の範囲】
【請求項１】
スイッチング素子、第１ダイオードおよび第１インダクタを有し入力電圧を変換して出力電圧を生成するコンバータ回路と、前記スイッチング素子を制御する制御回路とを備え、前記コンバータ回路の入力側には、第１コンデンサが並設接続され、前記コンバータ回路の出力側には、第２コンデンサが並列接続され、前記第１コンデンサの静電容量は、前記第２コンデンサの静電容量よりも小さく設定されており、前記第１コンデンサの高電位側と前記第２コンデンサの高電位側との間には、前記第２コンデンサに蓄積された電荷を放電する放電回路が設けられ、前記制御回路は、前記第２コンデンサの両端電圧を監視する監視部を有し、前記放電回路は、外部電源の遮断により前記コンバータ回路の前記入力電圧が前記出力電圧よりも小さくなったとき、前記第２コンデンサに蓄積された前記電荷を自動的に放電するように構成され、前記制御回路は、前記監視部により監視された前記両端電圧が予め設定された所定電圧に達するまで、前記スイッチング素子を制御し続けることを特徴とする点灯装置。
【請求項２】
前記放電回路は、第２ダイオードを有することを特徴とする請求項１記載の点灯装置。
【請求項３】
前記第１インダクタは、トランスの一次巻線を構成し、前記一次巻線には、前記スイッチング素子が直列接続され、前記一次巻線と前記スイッチング素子の直列回路の両端間に、前記第１コンデンサが接続され、前記トランスの二次巻線の両端間には、前記第１ダイオードを介して前記第２コンデンサが接続されていることを特徴とする請求項１または請求項２記載の点灯装置。
【請求項４】
前記第１インダクタは、トランスの一次巻線を構成し、前記一次巻線には、前記スイッチング素子が直列接続され、前記一次巻線と前記スイッチング素子の直列回路の両端間に、前記第１コンデンサが接続され、前記トランスの二次巻線の両端間には、前記第１ダイオードおよび第２インダクタを介して前記第２コンデンサが接続されていることを特徴とする請求項１または請求項２記載の点灯装置。
【請求項５】
前記制御回路を動作させる動作電源を生成する電源回路を備え、前記電源回路は、前記第２コンデンサの前記両端電圧から前記動作電源を生成することを特徴とする請求項１ないし請求項４のいずれか１項に記載の点灯装置。
【請求項６】
固体発光素子と、請求項１ないし請求項５のいずれか１項に記載の点灯装置とを備えていることを特徴とする照明器具。
【発明の詳細な説明】
【技術分野】
【０００１】
本発明は、点灯装置およびそれを用いた照明器具に関するものである。
【背景技術】
【０００２】
従来から、発光ダイオードなどの半導体発光素子の駆動に最適な電源装置および照明器具が提案されている（例えば、特許文献１）。
【０００３】
特許文献１には、図１０に示す構成を有する電源装置が記載されている。
【０００４】
全波整流回路８３の入力端子間には、交流電源８１と電源スイッチ８２の直列回路が接続されている。全波整流回路８３の出力端子間には、リップル電流平滑用のコンデンサ８４が接続されている。
【０００５】
コンデンサ８４の両端間には、電源オフ検出部８５が接続されている。
【０００６】
電源オフ検出部８５は、電源スイッチ８２の操作による交流電源８１の電源オフによって、第１の検出信号を出力する。なお、特許文献１には、電源オフ検出部８５として、リレー回路や半導体回路などが用いられる旨が記載されている。
【０００７】
また、コンデンサ８４の両端間には、スイッチングトランス８６の一次巻線８６ａとスイッチングトランジスタ８７の直列回路が接続されている。
【０００８】
スイッチングトランス８６の一次巻線８６ａの両端間には、コンデンサ８８および抵抗８９の並列回路とダイオード９０との直列回路からなるスナバ回路９１が接続されている。
【０００９】
スイッチングトランス８６の二次巻線８６ｂには、ダイオード９２と平滑コンデンサ９３からなる整流平滑回路９４が接続されている。
【００１０】
平滑コンデンサ９３の両端間には、直列に接続された複数個（図示例では、４個）の発光ダイオード９５ａ〜９５ｄが接続されている。
【００１１】
発光ダイオード９５ａ〜９５ｄの直列回路には、電流検出部９６が直列に接続されている。
【００１２】
電流検出部９６は、発光ダイオード９５ａ〜９５ｄに流れる電流を検出する。また、電流検出部９６は、検出電流に応じた第２の検出信号を制御回路９７へ出力する。
【００１３】
制御回路９７は、電流検出部９６からの第２の検出信号と不図示の基準値とを比較する。また、制御回路９７は、比較結果に基づいてスイッチングトランジスタ８７のオンオフを制御して、発光ダイオード９５ａ〜９５ｄに流れる電流を一定にする。
【００１４】
上述の電源装置では、整流平滑回路９４を構成するダイオード９２および平滑コンデンサ９３の接続点と、スナバ回路９１を構成するコンデンサ８８および抵抗８９の接続点との間に、スイッチ部９８とダイオード９９の直列回路が接続されている。
【００１５】
特許文献１には、スイッチ部９８が、電源オフ検出部８５からの第１の検出信号によりオンされると、平滑コンデンサ９３に残留する電荷を、ダイオード９９を介してスイッチングトランス８６の一次巻線８６ａ側に戻して消費させる旨が記載されている。また、特許文献１には、平滑コンデンサ９３に残留する電荷が、スナバ回路９１のコンデンサ８８および抵抗８９などのインピーダンス素子により消費される旨が記載されている。
【先行技術文献】
【特許文献】
【００１６】
【特許文献１】特開２００９−１８９１８３号公報
【発明の概要】
【発明が解決しようとする課題】
【００１７】
本願発明者らは、上述の電源装置を、点灯装置として用いることを考えた。
【００１８】
上述の電源装置では、平滑コンデンサ９３に残留する電荷を放電させるために、電源オフ検出部８５およびスイッチ部９８が必要となり、点灯装置の小型化が難しい。
【００１９】
また、上述の電源装置では、平滑コンデンサ９３に残留する電荷をスナバ回路９１のコンデンサ８８および抵抗８９などのインピーダンス素子により消費させるとき、スイッチングトランジスタ８７がオフ状態であると、平滑コンデンサ９３に残留する電荷を放電させる時間が比較的長くなる可能性がある。
【００２０】
本発明は上記事由に鑑みて為されたものであり、その目的は、小型化を図ることが可能で、且つ、コンデンサの放電時間を比較的短くすることが可能な点灯装置およびそれを用いた照明器具を提供することにある。
【課題を解決するための手段】
【００２１】
本発明の点灯装置は、スイッチング素子、第１ダイオードおよび第１インダクタを有し入力電圧を変換して出力電圧を生成するコンバータ回路と、前記スイッチング素子を制御する制御回路とを備え、前記コンバータ回路の入力側には、第１コンデンサが並設接続され、前記コンバータ回路の出力側には、第２コンデンサが並列接続され、前記第１コンデンサの静電容量は、前記第２コンデンサの静電容量よりも小さく設定されており、前記第１コンデンサの高電位側と前記第２コンデンサの高電位側との間には、前記第２コンデンサに蓄積された電荷を放電する放電回路が設けられ、前記制御回路は、前記第２コンデンサの両端電圧を監視する監視部を有し、前記放電回路は、外部電源の遮断により前記コンバータ回路の前記入力電圧が前記出力電圧よりも小さくなったとき、前記第２コンデンサに蓄積された前記電荷を自動的に放電するように構成され、前記制御回路は、前記監視部により監視された前記両端電圧が予め設定された所定電圧に達するまで、前記スイッチング素子を制御し続けることを特徴とする。
【００２２】
この点灯装置において、前記放電回路は、第２ダイオードを有することが好ましい。
【００２３】
この点灯装置において、前記第１インダクタは、トランスの一次巻線を構成し、前記一次巻線には、前記スイッチング素子が直列接続され、前記一次巻線と前記スイッチング素子の直列回路の両端間に、前記第１コンデンサが接続され、前記トランスの二次巻線の両端間には、前記第１ダイオードを介して前記第２コンデンサが接続されていることが好ましい。
【００２４】
この点灯装置において、前記第１インダクタは、トランスの一次巻線を構成し、前記一次巻線には、前記スイッチング素子が直列接続され、前記一次巻線と前記スイッチング素子の直列回路の両端間に、前記第１コンデンサが接続され、前記トランスの二次巻線の両端間には、前記第１ダイオードおよび第２インダクタを介して前記第２コンデンサが接続されていることが好ましい。
【００２５】
この点灯装置において、前記制御回路を動作させる動作電源を生成する電源回路を備え、前記電源回路は、前記第２コンデンサの前記両端電圧から前記動作電源を生成することが好ましい。
【００２６】
本発明の照明器具は、固体発光素子と、前記固体発光素子を点灯させる前記点灯装置とを備えていることを特徴とする。
【発明の効果】
【００２７】
本発明の点灯装置においては、小型化を図ることが可能で、且つ、コンデンサの放電時間を比較的短くすることが可能となる。
【００２８】
本発明の照明器具においては、小型化を図ることが可能で、且つ、コンデンサの放電時間を比較的短くすることが可能な点灯装置を用いた照明器具を提供することができる。
【図面の簡単な説明】
【００２９】
【図１】実施形態１の点灯装置の概略構成図である。
【図２】実施形態１の点灯装置のコンバータ回路の説明図である。
【図３】実施形態１の点灯装置のコンバータ回路の他の説明図である。
【図４】比較例の点灯装置に関し、（ａ）は整流回路により全波整流された電圧と第２コンデンサの両端電圧との電圧波形の説明図、（ｂ）は制御回路の出力電圧の電圧波形の説明図である。
【図５】実施形態１の点灯装置に関し、（ａ）は整流回路により全波整流された電圧と第２コンデンサの両端電圧との電圧波形の説明図、（ｂ）は制御回路の出力電圧の電圧波形の説明図である。
【図６】実施形態１の点灯装置に関し、整流回路により全波整流された電圧と第２コンデンサの両端電圧との電圧波形の他の説明図である。
【図７】（ａ）は、実施形態１の点灯装置に関し、整流回路により全波整流された電圧と第２コンデンサの両端電圧との電圧波形の別の説明図、（ｂ）は、比較例の点灯装置に関し、整流回路により全波整流された電圧と第２コンデンサの両端電圧との電圧波形の他の説明図である。
【図８】実施形態１の照明器具の概略断面図である。
【図９】実施形態２の点灯装置の概略構成図である。
【図１０】従来例の電源装置の概略構成図である。
【発明を実施するための形態】
【００３０】
（実施形態１）
以下、本実施形態の点灯装置２０について、図１および図２を参照しながら説明する。
【００３１】
点灯装置２０は、スイッチング素子Ｑ１、第１ダイオードＤ１およびトランスＴ１（図２参照）を有し入力電圧を変換して出力電圧を生成するコンバータ回路３と、スイッチング素子Ｑ１を制御する制御回路５とを備えている。コンバータ回路３の入力側には、第１コンデンサＣ１が並設接続されている。コンバータ回路３の出力側には、第２コンデンサＣ２が並列接続されている。第１コンデンサＣ１の静電容量は、第２コンデンサＣ２の静電容量よりも小さく設定されている。第１コンデンサＣ１の高電位側と第２コンデンサＣ２の高電位側との間には、第２コンデンサＣ２に蓄積された電荷を放電する放電回路１５が設けられている。制御回路５は、第２コンデンサＣ２の両端電圧を監視する監視部を有している。第２コンデンサＣ２に蓄積された前記電荷は、外部電源ＡＣ１の遮断によりコンバータ回路３の前記入力電圧が前記出力電圧よりも小さくなったとき、放電回路１５により自動的に放電される。制御回路５は、前記監視部により監視された前記両端電圧が予め設定された所定電圧に達するまで、スイッチング素子Ｑ１を制御し続ける。放電回路１５は、第２ダイオードＤ２を有することが好ましい。なお、以下では、説明の便宜上、スイッチング素子Ｑ１および制御回路５を、第１スイッチング素子Ｑ１および第１制御回路５と称することもある。また、本実施形態では、外部電源ＡＣ１として、例えば、商用電源などの交流電源を用いている。
【００３２】
また、点灯装置２０は、ノイズを除去するフィルタ１と、外部電源ＡＣ１からの交流電圧を全波整流する整流回路２と、第１制御回路５を動作させる第１動作電源を生成する第１電源回路４とを備えている。
【００３３】
フィルタ１としては、例えば、ノイズフィルタなどを用いることができる。フィルタ１の入力側には、外部電源ＡＣ１が接続されている。また、フィルタ１の入力側と外部電源ＡＣ１との間の給電路には、例えば壁スイッチなどのスイッチ（図示せず）が設けられている。なお、本実施形態では、外部電源ＡＣ１を構成要件として含まない。また、本実施形態では、外部電源ＡＣ１からの交流電圧の実効値を、例えば、１００Ｖに設定してある。また、本実施形態では、上記スイッチを構成要件として含まないが、上記スイッチを構成要件として含めてもよい。
【００３４】
整流回路２としては、例えば、ダイオードブリッジなどを用いることができる。整流回路２の入力側には、フィルタ１の出力側が接続されている。整流回路２の出力側には、第１コンデンサＣ１が接続されている。第１コンデンサＣ１には、整流回路２により全波整流された電圧Ｖ１が印加される。
【００３５】
第１コンデンサＣ１の高電位側は、放電回路１５の一端側に接続されている。第１コンデンサＣ１の低電位側は、接地されている。
【００３６】
コンバータ回路３としては、例えば、図２に示すようなフライバック型のＡＣ−ＤＣコンバータを用いることができる。コンバータ回路３は、第１スイッチング素子Ｑ１と、第１ダイオードＤ１と、トランスＴ１と、第１スイッチング素子Ｑ１に流れる電流を検出するための第１抵抗Ｒ１とを備えている。トランスＴ１には、一次巻線であるインダクタＬ１と、二次巻線であるインダクタＬ２と、三次巻線であるインダクタＬ３とが設けられている。
【００３７】
第１スイッチング素子Ｑ１としては、例えば、パワーＭＯＳＦＥＴなどを用いることができる。第１スイッチング素子Ｑ１の第１主端子（本実施形態では、ドレイン端子）は、インダクタＬ１の一端に接続されている。インダクタＬ１の他端は、第１コンデンサＣ１の高電位側に接続されている。第１スイッチング素子Ｑ１の第２主端子（本実施形態では、ソース端子）は、第１抵抗Ｒ１の一端に接続されている。第１抵抗Ｒ１の一端は、第１制御回路５に接続されている。第１抵抗Ｒ１の他端は、第１コンデンサＣ１の低電位側に接続されている。第１スイッチング素子Ｑ１の制御端子（本実施形態では、ゲート端子）は、第１制御回路５に接続されている。
【００３８】
インダクタＬ２の一端は、第１ダイオードＤ１のアノード側に接続されている。第１ダイオードＤ１のカソード側は、第２コンデンサＣ２の高電位側に接続されている。第２コンデンサＣ２の低電位側は、インダクタＬ２の他端に接続されている。
【００３９】
インダクタＬ３の一端は、第１コンデンサＣ１の低電位側に接続されている。インダクタＬ３の他端は、第１電源回路４に接続されている。
【００４０】
コンバータ回路３は、第１コンデンサＣ１の両端電圧を変換して第１直流電圧を生成する。本実施形態では、上記第１直流電圧が、例えば、４５Ｖとなるようにコンバータ回路３を設計してある。
【００４１】
なお、本実施形態では、フライバック型のＡＣ−ＤＣコンバータの構成として、図２に示す構成を用いているが、この構成を特に限定するものではない。また、本実施形態では、コンバータ回路３として、フライバック型のＡＣ−ＤＣコンバータを用いているが、これに限らず、例えば、図３に示すようなフォワード型のＡＣ−ＤＣコンバータや他のＡＣ−ＤＣコンバータなどを用いてもよい。
【００４２】
図３に示す構成を有するコンバータ回路３は、図２に示す構成を有するコンバータ回路３と同様に、第１スイッチング素子Ｑ１と、第１ダイオードＤ１と、トランスＴ１と、第１抵抗Ｒ１とを備えている。また、図３に示す構成を有するコンバータ回路３は、第３ダイオードＤ３と、インダクタＬ４とを備えている。なお、図３に示す構成を有するコンバータ回路３では、図２に示す構成を有するコンバータ回路３と同様の構成要素に同一の符号を付して説明を適宜省略する。
【００４３】
第３ダイオードＤ３のアノード側は、インダクタＬ２の他端に接続されている。また、第３ダイオードＤ３のアノード側は、接地されている。
【００４４】
第３ダイオードＤ３のカソード側は、第１ダイオードＤ１のカソード側に接続されている。また、第３ダイオードＤ３のカソード側は、インダクタＬ４の一端に接続されている。インダクタＬ４の他端は、第２コンデンサＣ２の高電位側に接続されている。
【００４５】
第２コンデンサＣ２の高電位側は、放電回路１５の他端側に接続されている。第２コンデンサＣ２の低電位側は、接地されている。
【００４６】
ところで、第１コンデンサＣ１の静電容量は、第２コンデンサＣ２の静電容量よりも小さく設定されている。本実施形態では、第１コンデンサＣ１の静電容量を０．３３μＦに設定し、第２コンデンサＣ２の静電容量を７８０μＦに設定してあるが、これらの数値例は一例であり、特に限定するものではない。
【００４７】
なお、本実施形態では、フォワード型のＡＣ−ＤＣコンバータの構成として、図３に示す構成を用いているが、この構成を特に限定するものではない。
【００４８】
第２コンデンサＣ２には、コンバータ回路３により変換された上記第１直流電圧が印加される。なお、第２コンデンサＣ２は、平滑用のコンデンサである。
【００４９】
第１電源回路４は、第２コンデンサＣ２の両端電圧Ｖ２を第２直流電圧（例えば、１５Ｖ）に変換して上記第２直流電圧を第１制御回路５へ出力する。
【００５０】
第１電源回路４は、第２コンデンサＣ２の両端電圧Ｖ２を上記第２直流電圧に変換する変換回路１８と、第４ダイオードＤ４と、第３コンデンサＣ３とを有している。
【００５１】
変換回路１８としては、例えば、３端子レギュレータを用いることができる。
【００５２】
変換回路１８の入力端子は、第２コンデンサＣ２の高電位側に接続されている。また、変換回路１８のグランド端子は、接地されている。さらに、変換回路１８の出力端子は、第１制御回路５に接続されている。
【００５３】
また、変換回路１８の出力端子は、第４ダイオードＤ４のカソード側に接続されている。第４ダイオードＤ４のアノード側は、インダクタＬ３の上記他端に接続されている。また、第４ダイオードＤ４のアノード側は、第１制御回路５に接続されている。
【００５４】
また、変換回路１８の出力端子は、第３コンデンサの高電位側に接続されている。第３コンデンサＣ３の低電位側は、接地されている。
【００５５】
また、第１電源回路４は、複数個（例えば、２個）の抵抗（図示せず）からなる直列回路を有する第１抵抗分圧回路１９に接続されている。具体的に説明すると、第１電源回路４は、第１抵抗分圧回路１９における２個の上記抵抗同士の接続点に接続されている。第１抵抗分圧回路１９の一端は、第１コンデンサＣ１の高電位側に接続されている。第１抵抗分圧回路１９の他端は、接地されている。これにより、第１抵抗分圧回路１９は、第１コンデンサＣ１の両端電圧を抵抗分圧することが可能となる。また、第１抵抗分圧回路１９は、第１コンデンサＣ１の両端電圧を抵抗分圧した電圧を、第１電源回路４へ出力することが可能となる。よって、第１電源回路４は、第１抵抗分圧回路１９により抵抗分圧された電圧を、上記第２直流電圧に変換することが可能となる。
【００５６】
第１制御回路５としては、例えば、汎用のフライバックコンバータ制御ＩＣなどを用いることができる。なお、本実施形態では、第１制御回路５に、第１スイッチング素子Ｑ１を駆動する駆動回路（図示せず）が予め設けられているが、第１制御回路５とは別体に設けられていてもよい。
【００５７】
第１制御回路５は、第１スイッチング素子Ｑ１の制御端子に接続されている。また、第１制御回路５は、接地されている。
【００５８】
また、第１制御回路５は、第２コンデンサＣ２の両端電圧Ｖ２を監視する監視部（図示せず）を有している。上記監視部は、第２コンデンサＣ２の高電位側に接続されている。これにより、第１制御回路５は、上記監視部により第２コンデンサＣ２の両端電圧Ｖ２を監視することが可能となる。
【００５９】
第１制御回路５は、上記監視部により監視された第２コンデンサＣ２の両端電圧Ｖ２の大きさが一定になるように、第１スイッチング素子Ｑ１のオンオフを制御する。これにより、第１制御回路５は、コンバータ回路３の上記出力電圧の大きさを一定にすることが可能となる。
【００６０】
また、点灯装置２０は、第２コンデンサＣ２の両端電圧Ｖ２を電源として固体発光素子２２を点灯させる点灯回路１２と、点灯回路１２を制御する第２制御回路８とを備えている。また、点灯装置２０は、第２コンデンサＣ２の両端電圧Ｖ２を検出する検出回路６と、第２制御回路８を動作させる第２動作電源を生成する第２電源回路７とを備えている。固体発光素子２２としては、例えば、白色のＬＥＤなどを用いることができる。
【００６１】
検出回路６としては、例えば、第２抵抗分圧回路（図示せず）などを用いることができる。上記第２抵抗分圧回路としては、例えば、２個の抵抗（図示せず）からなる直列回路を採用すればよい。
【００６２】
上記第２抵抗分圧回路の一端は、第２コンデンサＣ２の高電位側に接続されている。上記第２抵抗分圧回路の他端は、接地されている。上記第２抵抗分圧回路における２個の上記抵抗同士の接続点は、第２制御回路８に接続されている。これにより、検出回路６は、第２コンデンサＣ２の両端電圧Ｖ２を抵抗分圧することが可能となる。また、検出回路６は、第２コンデンサＣ２の両端電圧Ｖ２を抵抗分圧した電圧（以下、検出電圧）を、第２制御回路８へ出力することが可能となる。
【００６３】
第２電源回路７は、第２コンデンサＣ２の両端電圧Ｖ２を第３直流電圧（例えば、５Ｖ）に変換して上記第３直流電圧を第２制御回路８へ出力する。第２電源回路７としては、例えば、３端子レギュレータを用いることができる。
【００６４】
第２電源回路７の入力端子は、第２コンデンサＣ２の高電位側に接続されている。また、第２電源回路７の出力端子は、第２制御回路８に接続されている。また、第２電源回路７のグランド端子は、接地されている。
【００６５】
第２制御回路８は、例えば、第１マイクロコンピュータに、適宜の第１プログラムを搭載することにより構成することができる。上記第１プログラムは、例えば、第２制御回路８として用いる上記第１マイクロコンピュータに予め設けられた第１記億部（図示せず）に、記憶されている。また、第２制御回路８は、接地されている。
【００６６】
第２制御回路８には、外部電源ＡＣ１からの電力供給の有無を検出するための基準電圧が予め設定されている。上記基準電圧は、例えば、上記第１マイクロコンピュータの上記第１記億部に記憶されている。
【００６７】
また、第２制御回路８は、検出回路６からの上記検出電圧と予め記憶された上記基準電圧とを比較して、外部電源ＡＣ１からの電力供給の有無を判定する。本実施形態では、外部電源ＡＣ１からの電力供給の有無を判定する手段として、例えば、上記第１マイクロコンピュータに予め設けられたコンパレータ（図示せず）を用いている。
【００６８】
上記コンパレータは、検出回路６からの上記検出電圧が上記基準電圧以上の場合、外部電源ＡＣ１から電力供給されていると判定する。一方、上記コンパレータは、検出回路６からの上記検出電圧が上記基準電圧未満の場合、外部電源ＡＣ１から電力供給されていないと判定する。したがって、第２制御回路８は、上記コンパレータによる判定結果によって、外部電源ＡＣ１からの電力供給の有無を判定することが可能となる。
【００６９】
また、第２制御回路８は、複数個（本実施形態では、２個）の点灯回路１２にそれぞれ接続されている。
【００７０】
また、第２制御回路８は、例えば壁面などに予め設置された調光器９に信号線１１を介して電気的に接続される。これにより、第２制御回路８は、調光器９からの指示信号を入力可能となる。なお、本実施形態では、調光器９を構成要件として含まない。また、指示信号とは、固体発光素子２２の調光および調色を指示する信号を意味する。また、本実施形態では、上記指示信号の伝送手段として、信号線１１を用いているが、これに限らず、例えば、赤外線または電波などの媒体を用いてもよい。
【００７１】
第２制御回路８は、調光器９からの上記指示信号が入力されたとき、上記指示信号に従って各点灯回路１２をそれぞれ制御する。
【００７２】
各点灯回路１２は、第２コンデンサＣ２にそれぞれ並列接続されている。
【００７３】
各点灯回路１２は、ＤＣ−ＤＣコンバータ１３および駆動回路１４をそれぞれ有している。
【００７４】
ＤＣ−ＤＣコンバータ１３は、第２コンデンサＣ２の両端電圧Ｖ２を第４直流電圧（ＬＥＤ点灯電圧）に変換する。ＤＣ−ＤＣコンバータ１３の入力側は、第２コンデンサＣ２の高電位側に接続されている。ＤＣ−ＤＣコンバータ１３の出力側は、光源部２１に接続されている。なお、ＬＥＤ点灯電圧とは、固体発光素子２２（本実施形態では、ＬＥＤ）の順電圧（順方向電圧）以上の電圧を意味する。
【００７５】
駆動回路１４は、ＤＣ−ＤＣコンバータ１３に設けられた第２スイッチング素子（図示せず）を駆動する。上記第２スイッチング素子としては、例えば、ＭＯＳＦＥＴなどを用いることができる。
【００７６】
駆動回路１４は、上記第２スイッチング素子の制御端子（本実施形態では、ゲート端子）に接続されている。また、駆動回路１４は、第２制御回路８に接続されている。さらに、駆動回路１４は、接地されている。
【００７７】
ここにおいて、以下では、説明の便宜上、２個の点灯回路１２を、第１点灯回路１２ａ、第２点灯回路１２ｂと称する。また、以下では、説明の便宜上、第１点灯回路１２ａのＤＣ−ＤＣコンバータ１３および駆動回路１４を、第１点灯回路１２ａの第１ＤＣ−ＤＣコンバータ１３ａおよび第１駆動回路１４ａと称する。また、以下では、説明の便宜上、第２点灯回路１２ｂのＤＣ−ＤＣコンバータ１３および駆動回路１４を、第２点灯回路１２ｂの第２ＤＣ−ＤＣコンバータ１３ｂおよび第２駆動回路１４ｂと称する。
【００７８】
本実施形態の点灯装置２０は、複数個（本実施形態では、２個）の光源部２１を点灯させる。各光源部２１は、固体発光素子２２を有している。なお、以下では、説明の便宜上、２個の光源部２１を、第１光源部２１ａ、第２光源部２１ｂと称する。
【００７９】
第１光源部２１ａは、固体発光素子２２として、暖色の光（以下、暖色光）を放射する第１ＬＥＤ２２ａを用いている。暖色光とは、色温度が低い光を意味する。暖色光の色温度としては、例えば、２０００Ｋである。本実施形態では、第１ＬＥＤ２２ａの個数を、（２×ｎ）個〔ｎ≧２〕としている。各第１ＬＥＤ２２ａの接続関係は、直列接続または並列接続であってもよいし、直列接続と並列接続とを組み合わせた接続であってもよい。なお、図１では、一例として、第１ＬＥＤ２２ａの個数を４個としてある。
【００８０】
第２光源部２１ｂは、固体発光素子２２として、寒色の光（以下、寒色光）を放射する第２ＬＥＤ２２ｂを用いている。寒色光とは、色温度が高い光を意味する。寒色光の色温度としては、例えば、８０００Ｋである。本実施形態では、第２ＬＥＤ２２ｂの個数を、ｎ個〔ｎ≧２〕としている。各第２ＬＥＤ２２ｂの接続関係は、直列接続または並列接続であってもよいし、直列接続と並列接続とを組み合わせた接続であってもよい。なお、図１では、一例として、第２ＬＥＤ２２ｂの個数を２個としてある。
【００８１】
点灯装置２０では、第１点灯回路１２ａが、第１光源部２１ａを点灯させる。また、点灯装置２０では、第２点灯回路１２ｂが、第２光源部２２ｂを点灯させる。
【００８２】
なお、本実施形態では、固体発光素子２２として、ＬＥＤを用いているが、これに限らず、例えば、有機エレクトロルミネッセンス素子などを用いてもよい。
【００８３】
放電回路１５は、外部電源ＡＣ１の遮断によりコンバータ回路３の入力電圧がコンバータ回路３の出力電圧よりも小さくなったとき、第２コンデンサＣ２に蓄積された電荷を自動的に放電するように構成されている。放電回路１５は、第２ダイオードＤ２と、インピーダンス素子１６とを有している。
【００８４】
インピーダンス素子１６としては、例えば、第２抵抗Ｒ２を用いることができる。本実施形態では、第２抵抗Ｒ２の抵抗値を、例えば、１ｋΩに設定している。
【００８５】
第２ダイオードＤ２のアノード側は、第２コンデンサＣ２の高電位側に接続されている。第２ダイオードＤ２のカソード側は、第２抵抗Ｒ２の一端に接続されている。第２抵抗Ｒ２の他端は、第１コンデンサＣ１の高電位側に接続されている。
【００８６】
本実施形態の点灯装置２０では、インピーダンス素子１６として用いる第２抵抗Ｒ２の抵抗値を適宜設定することによって、放電回路１５に流れる電流の電流量を調整することが可能となり、第２コンデンサＣ２に蓄積された電荷を早く放電することが可能となる。なお、本実施形態では、インピーダンス素子１６として、第２抵抗Ｒ２を用いているが、これを特に限定するものではない。
【００８７】
ところで、本願発明者らは、上述の点灯装置２０において放電回路１５を備えていない比較例の点灯装置を考えた。
【００８８】
比較例の点灯装置では、各点灯回路１２の動作が停止状態で、且つ、外部電源ＡＣ１からの電力供給が遮断されると、図４に示すように、第２コンデンサＣ２の両端電圧Ｖ２が徐々に低下する。ここにおいて、図４（ａ）は、比較例の点灯装置において、整流回路２により全波整流された電圧Ｖ１の電圧波形と、第２コンデンサＣ２の両端電圧Ｖ２の電圧波形とをそれぞれ表している。また、図４（ｂ）は、比較例の点灯装置において、第１制御回路５から第１スイッチング素子Ｑ１へ出力された電圧の電圧波形を表している。また、図４（ａ）および図４（ｂ）では、縦軸が出力電圧を表している。また、図４（ａ）および図４（ｂ）では、横軸が時間を表している。また、図４（ａ）中のＶ１maxは、整流回路２により全波整流された電圧Ｖ１の最大値（本実施形態では、１４１Ｖ）を表している。また、図４（ａ）中のＶ２maxは、第２コンデンサＣ２の両端電圧Ｖ２の最大値（本実施形態では、４５Ｖ）を表している。
【００８９】
比較例の点灯装置では、図４に示すように、第２コンデンサＣ２の両端電圧Ｖ２が低下し始めてから第１制御回路５に予め設定された所定電圧ＶSに達するまでの期間Ｔ１が、７００ｍｓであった。比較例の点灯装置では、所定電圧ＶSを、例えば、３０Ｖに設定している。なお、図４（ａ）および図４（ｂ）中のｔ１は、外部電源ＡＣ１からの電力供給が遮断された時点を表している。また、図４（ａ）および図４（ｂ）中のｔ２は、第２コンデンサＣ２の両端電圧Ｖ２が所定電圧ＶSに達した時点を表している。
【００９０】
本実施形態の点灯装置２０では、各点灯回路１２の動作が停止状態で、且つ、外部電源ＡＣ１からの電力供給が遮断されると、図５に示すうに、第２コンデンサＣ２の両端電圧Ｖ２が、比較例の点灯装置よりも比較的早く低下する。ここにおいて、図５（ａ）は、本実施形態の点灯装置２０において、整流回路２により全波整流された電圧Ｖ１の電圧波形と、第２コンデンサＣ２の両端電圧Ｖ２の電圧波形とをそれぞれ表している。また、図５（ｂ）は、本実施形態の点灯装置２０において、第１制御回路５から第１スイッチング素子Ｑ１へ出力された電圧の電圧波形を表している。また、図５（ａ）および図５（ｂ）では、縦軸が出力電圧を表している。また、図５（ａ）および図５（ｂ）では、横軸が時間を表している。また、図５（ａ）中のＶ１maxは、整流回路２により全波整流された電圧Ｖ１の最大値（本実施形態では、１４１Ｖ）を表している。また、図５（ａ）中のＶ２maxは、第２コンデンサＣ２の両端電圧Ｖ２の最大値（本実施形態では、４５Ｖ）を表している。
【００９１】
本実施形態の点灯装置２０では、図５に示すように、第２コンデンサＣ２の両端電圧Ｖ２が低下し始めてから第１制御回路５に予め設定された所定電圧ＶSに達するまでの期間Ｔ２が、３３０ｍｓであった。本実施形態の点灯装置２０では、所定電圧ＶSを、例えば、３０Ｖに設定している。なお、図５（ａ）および図５（ｂ）中のｔ１は、外部電源ＡＣ１からの電力供給が遮断された時点を表している。また、図５（ａ）および図５（ｂ）中のｔ３は、第２コンデンサＣ２の両端電圧Ｖ２が所定電圧ＶSに達した時点を表している。
【００９２】
したがって、本実施形態の点灯装置２０では、比較例の点灯装置に比べて、第２コンデンサＣ２の両端電圧Ｖ２を比較的早く低下させることが可能となる。言い換えれば、本実施形態の点灯装置２０では、比較例の点灯装置に比べて、第２コンデンサＣ２に蓄積された電荷を放電する時間を比較的短くすることが可能となる。これにより、本実施形態の点灯装置２０では、第２制御回路８が、外部電源ＡＣ１からの電力供給が停止された状態を、比較例の点灯装置よりも早く検出することが可能となる。すなわち、第２制御回路８は、上記スイッチがオン状態からオフ状態になるのを、比較的早く検出することが可能となる。
【００９３】
また、点灯装置２０では、各点灯回路１２の動作が停止状態で、且つ、外部電源ＡＣ１から電力供給されたとき、図６に示すように、整流回路２により全波整流された電圧Ｖ１の最小値Ｖ１minが、第２コンデンサＣ２の両端電圧Ｖ２の最大値Ｖ２maxよりも大きくなる。これにより、点灯装置２０では、各点灯回路１２の動作が停止状態（つまり、軽負荷状態）で、且つ、外部電源ＡＣ１から電力供給されたとき、放電回路１５に電流が流れないので、放電回路１５での電力損失を抑制することが可能となる。ここにおいて、図６は、本実施形態の点灯装置２０において、整流回路２により全波整流された電圧Ｖ１の電圧波形と、第２コンデンサＣ２の両端電圧Ｖ２の電圧波形とをそれぞれ表している。また、図６では、縦軸が出力電圧を表している。また、図６では、横軸が時間を表している。また、図６中のＶ１maxは、整流回路２により全波整流された電圧Ｖ１の最大値（本実施形態では、１４１Ｖ）を表している。また、図６中のＶ２maxは、第２コンデンサＣ２の両端電圧Ｖ２の最大値（本実施形態では、４５Ｖ）を表している。
【００９４】
また、本実施形態の点灯装置２０では、第１コンデンサＣ１の静電容量を、第２コンデンサＣ２の静電容量よりも小さく設定しているので、外部電源ＡＣ１からの電力供給が遮断されたとき、第１コンデンサＣ１に蓄積された電荷を、第２コンデンサＣ２に蓄積された電荷よりも早く放電することが可能となる。これにより、点灯装置２０では、第２コンデンサＣ２に蓄積された電荷を、放電回路１５を介して第１コンデンサＣ１側に放電することが可能となる。要するに、第２コンデンサＣ２に蓄積された電荷は、外部電源ＡＣ１の遮断によりコンバータ回路３の入力電圧（整流回路２により全波整流された電圧Ｖ１）がコンバータ回路３の出力電圧（第２コンデンサＣ２の両端電圧Ｖ２）よりも小さくなったとき、放電回路１５により自動的に放電される。
【００９５】
したがって、本実施形態の点灯装置２０では、外部電源ＡＣ１からの電力供給が遮断されると、直ちに、第２コンデンサＣ２に蓄積された電荷を、放電回路１５を介して第１コンデンサＣ１側に放電することが可能となるので、図１０に示す構成を有する従来例の電源装置における電源オフ検出部８５およびスイッチ部９８が不要となる。よって、本実施形態の点灯装置２０では、従来例の電源装置に比べて、小型化を図ることが可能となる。
【００９６】
また、本実施形態の点灯装置２０では、外部電源ＡＣ１からの電力供給が遮断されると、第１制御回路５が、上記監視部により監視された第２コンデンサＣ２の両端電圧Ｖ２が所定電圧ＶSに達するまで、第１スイッチング素子Ｑ１を制御し続ける（図５（ｂ）参照）。これにより、本実施形態の点灯装置２０では、外部電源ＡＣ１から電力供給されていないとき、第２コンデンサＣ２に蓄積された電荷が放電回路１５を介して第１コンデンサＣ１側に放電される時間を、従来例の電源装置よりも短くすることが可能となる。
【００９７】
第１電源回路４は、第２コンデンサＣ２の両端電圧Ｖ２から第１制御回路５を動作させる上記動作電源を生成することが好ましい。これにより、本実施形態の点灯装置２０では、第１電源回路４が第１抵抗分圧回路１９により抵抗分圧された電圧から上記動作電源を生成する場合に比べて、第１制御回路５を、比較的長く動作させることが可能となる。言い換えれば、本実施形態の点灯装置２０では、第１電源回路４が第１抵抗分圧回路１９により抵抗分圧された電圧から上記動作電源を生成する場合に比べて、第１制御回路５が、第１スイッチング素子Ｑ１を比較的長く制御し続けることが可能となる。なお、本実施形態では、第１電源回路４が、第２コンデンサＣ２の両端電圧Ｖ２と、第１抵抗分圧回路１９により抵抗分圧された電圧と、インダクタＬ３で発生した誘起電圧とから上記動作電源を生成している。
【００９８】
また、本実施形態の点灯装置２０では、外部電源ＡＣ１から電力供給された状態で、且つ、各点灯回路１２が動作している状態（以下、動作状態という）のとき、整流回路２により全波整流された電圧Ｖ１と第２コンデンサＣ２の両端電圧Ｖ２が、図７（ａ）に示すように、経過時間に伴って変化する。ここにおいて、図７（ａ）では、縦軸が出力電圧を表している。また、図７（ａ）では、横軸が時間を表している。また、図７（ａ）中のＶ１maxは、整流回路２により全波整流された電圧Ｖ１の最大値（本実施形態では、１４１Ｖ）を表している。また、図７（ａ）中のＶ１minは、整流回路２により全波整流された電圧Ｖ１の最小値（本実施形態では、２０Ｖ）を表している。また、図７（ａ）中のＶ２maxは、第２コンデンサＣ２の両端電圧Ｖ２の最大値（本実施形態では、４５Ｖ）を表している。
【００９９】
これに対して、比較例の点灯装置では、動作状態のとき、整流回路２により全波整流された電圧Ｖ１と第２コンデンサＣ２の両端電圧Ｖ２が、図７（ｂ）に示すように、経過時間に伴って変化する。ここにおいて、図７（ｂ）では、縦軸が出力電圧を表している。また、図７（ｂ）では、横軸が時間を表している。また、図７（ｂ）中のＶ１maxは、整流回路２により全波整流された電圧Ｖ１の最大値（本実施形態では、１４１Ｖ）を表している。また、図７（ｂ）中のＶ１minは、整流回路２により全波整流された電圧Ｖ１の最小値（本実施形態では、８Ｖ）を表している。また、図７（ｂ）中のＶ２maxは、第２コンデンサＣ２の両端電圧Ｖ２の最大値（本実施形態では、４５Ｖ）を表している。
【０１００】
本実施形態の点灯装置２０では、上述の動作状態のとき、整流回路２により全波整流された電圧Ｖ１の最小値Ｖ１minが、比較例の点灯装置における整流回路２により全波整流された電圧Ｖ１の最小値Ｖ１minよりも大きくなる。この理由としては、本実施形態の点灯装置２０において、動作状態のとき、放電回路１５が導通し第２コンデンサＣ２を放電させるからである。
【０１０１】
また、点灯装置２０では、動作状態の場合において、整流回路２により全波整流された電圧Ｖ１が第２コンデンサＣ２の両端電圧Ｖ２よりも小さくなるとき、第２コンデンサＣ２に蓄積された電荷の放電量が過剰にならないように、放電回路１５の第２抵抗Ｒ２の抵抗値を適宜設定している。本実施形態では、第２抵抗Ｒ２の抵抗値を、例えば、１ｋΩに設定してある。これにより、本実施形態の点灯装置２０では、動作状態のとき、放電回路１５に流れる電流の電流量を低減することが可能となり、放電回路１５（具体的には、第２抵抗Ｒ２）での電力損失を低減することが可能となる。
【０１０２】
また、点灯装置２０では、動作状態の場合において、整流回路２により全波整流された電圧Ｖ１が第２コンデンサＣ２の両端電圧Ｖ２よりも小さくなるときだけ、放電回路１５での電力損失が発生する。言い換えれば、点灯装置２０では、放電回路１５での電力損失が、外部電源ＡＣ１からの交流電圧の周期の１／２周期で発生する。これにより、本実施形態の点灯装置２０では、例えば、比較例の点灯装置における第２コンデンサＣ２に放電抵抗（例えば、第２抵抗Ｒ２）を並列接続した場合に比べて、放電回路１５での電力損失を小さくすることが可能となる。
【０１０３】
また、点灯装置２０では、外部電源ＡＣ１からの電力供給が遮断されたとき、第２コンデンサＣ２に蓄積された電荷を速やかに放電させるために放電回路１５の時定数が小さくなるように、第２抵抗Ｒ２の抵抗値を小さく設定している。これにより、本実施形態の点灯装置２０では、外部電源ＡＣ１からの電力供給が遮断されたとき、第２コンデンサＣ２に蓄積された電荷を速やかに放電させることが可能となり、第２コンデンサＣ２の放電時間を比較的短くすることが可能となる。本実施形態では、第２抵抗Ｒ２の抵抗値を、例えば、１ｋΩに設定してあるが、この数値例は一例であり、特に限定するものではない。
【０１０４】
以上説明した本実施形態の点灯装置２０は、スイッチング素子Ｑ１、第１ダイオードＤ１および第１インダクタＬ１を有し入力電圧を変換して出力電圧を生成するコンバータ回路３と、スイッチング素子Ｑ１を制御する制御回路５とを備えている。コンバータ回路３の入力側には、第１コンデンサＣ１が並設接続されている。コンバータ回路３の出力側には、第２コンデンサＣ２が並列接続されている。第１コンデンサＣ１の静電容量は、第２コンデンサＣ２の静電容量よりも小さく設定されている。第１コンデンサＣ１の高電位側と第２コンデンサＣ２の高電位側との間には、第２コンデンサＣ２に蓄積された電荷を放電する放電回路１５が設けられている。制御回路５は、第２コンデンサＣ２の両端電圧を監視する監視部を有している。放電回路１５は、外部電源ＡＣ１の遮断によりコンバータ回路３の前記入力電圧が前記出力電圧よりも小さくなったとき、第２コンデンサＣ２に蓄積された前記電荷を自動的に放電するように構成されている。制御回路５は、前記監視部により監視された前記両端電圧が予め設定された所定電圧に達するまで、スイッチング素子Ｑ１を制御し続ける。これにより、本実施形態の点灯装置２０では、小型化を図ることが可能で、且つ、コンデンサ（第２コンデンサ）Ｃ２の放電時間を比較的短くすることが可能となる。
【０１０５】
以下、本実施形態の点灯装置２０を備えた照明器具３０の一例について、図８に基づいて簡単に説明する。
【０１０６】
本実施形態の照明器具３０は、例えば、天井材４０に埋め込み配置されるものである。
【０１０７】
照明器具３０は、複数個の固体発光素子２２と、これら複数個の固体発光素子２２を点灯させる点灯装置２０と、点灯装置２０を収納する箱状（本実施形態では、矩形箱状）の筐体３１とを備えている。
【０１０８】
筐体３１の材料としては、例えば、金属（例えば、鉄、アルミニウム、ステンレス）などを採用することができる。本実施形態では、筐体３１を、天井材４０の一表面側（図８では、上面側）に配置してある。また、本実施形態では、筐体３１と天井材４０との間に、筐体３１と天井材４０との間を規定の距離に保つためのスペーサ３３を介在させてある。これにより、本実施形態の照明器具３０では、点灯装置２０で発生する熱が天井材４０に伝導するのを抑制することが可能となる。
【０１０９】
筐体３１の一側壁（図８では、左側壁）には、点灯装置２０に電気的に接続された第１接続線３２を導出するための第１導出孔（図示せず）が、形成されている。ここにおいて、点灯装置２０は、第１接続線３２を介して、出力用コネクタ３４ａに接続されている。
【０１１０】
また、照明器具３０は、複数個の固体発光素子２２を実装した実装基板３６と、実装基板３６が取り付けられる有底筒状（本実施形態では、有底円筒状）の器具本体３７とを備えている。
【０１１１】
実装基板３６としては、例えば、金属ベースプリント配線板などを採用することができる。本実施形態では、実装基板３６の外周形状を、例えば、円形状としている。また、本実施形態では、実装基板３６の平面サイズを、器具本体３７の開口サイズよりも若干小さく設定してある。
【０１１２】
実装基板３６は、第２接続線３５を介して、入力用コネクタ３４ｂに接続されている。本実施形態では、入力用コネクタ３４ｂが、出力用コネクタ３４ａと着脱自在に接続可能となっている。
【０１１３】
本実施形態の照明器具３０では、出力用コネクタ３４ａと入力用コネクタ３４ｂとを接続することによって、点灯装置２０と実装基板３６とが電気的に接続される。
【０１１４】
実装基板３６の一面側（図８では、下面側）には、複数個の固体発光素子２２が実装されている。なお、図８では、複数個の固体発光素子２２のうち３個の固体発光素子２２が見えている。
【０１１５】
器具本体３７の材料としては、例えば、金属（例えば、鉄、アルミニウム、ステンレス）などを採用することができる。
【０１１６】
器具本体３７の底壁３７ａには、実装基板３６に電気的に接続された第２接続線３５を導出するための第２導出孔（図示せず）が、形成されている。
【０１１７】
本実施形態の照明器具３０では、器具本体３７の底壁３７ａの内側に、上述の実装基板３６が配置されている。また、本実施形態では、器具本体３７の底壁３７ａに、上述の実装基板３６が取り付けられている。また、本実施形態では、上述の実装基板３６を器具本体３７の底壁３７ａに取り付ける手段として、例えば、電気絶縁性および熱伝導性を有する接着シート（図示せず）などを用いている。
【０１１８】
器具本体３７の側壁３７ｂの下端部には、外方へ延設された鍔部３７ｃが設けられている。また、器具本体３７の側壁３７ｂの下端部には、天井材４０に予め形成された埋込孔４０ａの周部を鍔部３７ｃとで挟持可能な一対の取付金具（図示せず）が、設けられている。
【０１１９】
本実施形態の照明器具３０では、天井材４０の埋込孔４０ａの周部を上記一対の取付金具と鍔部３７ｃとで挟持することによって、器具本体３７を天井材４０に埋め込み配置することが可能となる。
【０１２０】
また、照明器具３０は、器具本体３７の開口部を覆い各固体発光素子２２から放射された光を拡散する光拡散板３８を備えている。
【０１２１】
光拡散板３８の材料としては、透光性材料（例えば、アクリル樹脂、ガラスなど）を採用することができる。本実施形態では、光拡散板３８の形状を、例えば、円板状としている。また、本実施形態では、器具本体３７の側壁３７ｂの下端部に、光拡散板３８が着脱自在に取り付けられている。
【０１２２】
以上説明した本実施形態の照明器具３０は、固体発光素子２２と、固体発光素子２２を点灯させる点灯装置２０とを備えている。これにより、本実施形態の照明器具３０では、小型化を図ることが可能で、且つ、コンデンサ（第２コンデンサ）Ｃ２の放電時間を比較的短くすることが可能な点灯装置２０を用いた照明器具３０を提供することができる。
【０１２３】
また、本実施形態の照明器具３０では、複数個の固体発光素子２２を実装した実装基板３６が取り付けられた器具本体３７とは別体に、上述の点灯装置２０を収納した筐体３１を設けているので、器具本体３７の薄型化を図ることが可能となる。
【０１２４】
（実施形態２）
本実施形態の点灯装置２０は、基本構成が実施形態１と同じであり、図９に示すように、コンバータ回路３として、フライバック型のＤＣ−ＤＣコンバータを用いている点などが実施形態１と相違する。なお、本実施形態では、実施形態１と同様の構成要素に同一の符号を付して説明を適宜省略する。
【０１２５】
第１コンデンサＣ１の静電容量は、整流回路２により全波整流された電圧を平滑化するために、実施形態１における第１コンデンサＣ１の静電容量よりも大きく設定している。また、第１コンデンサＣ１の静電容量は、第１コンデンサＣ１により平滑化された電圧Ｖ３の電圧値が、例えば、１００Ｖ以上１４１Ｖ以下となるように設定している。本実施形態では、第１コンデンサＣ１の静電容量を１８μＦに設定しているが、この数値例は一例であり、特に限定するものではない。
【０１２６】
コンバータ回路３は、第１コンデンサＣ１により平滑化された電圧Ｖ３を、所定の第５直流電圧に変換する。本実施形態では、上記所定の第５直流電圧の電圧値が、例えば、４５Ｖとなるように、コンバータ回路３を設計してある。
【０１２７】
本実施形態の点灯装置２０では、第１コンデンサＣ１の静電容量を、整流回路２により全波整流された電圧を平滑化するために、実施形態１における第１コンデンサＣ１の静電容量よりも大きく設定している。これにより、点灯装置２０では、整流回路２により全波整流された電圧を平滑化することが可能となり、各点灯回路１２が動作している状態であっても、第１コンデンサＣ１により平滑化された電圧Ｖ３を、第２コンデンサＣ２の両端電圧Ｖ２よりも大きくすることが可能となる。よって、点灯装置２０では、各点灯回路１２が動作している状態であっても、放電回路１５での電力損失を抑制することが可能となる。
【０１２８】
なお、本実施形態では、コンバータ回路３として、図９に示すようなフライバック型のＤＣ−ＤＣコンバータを用いているが、この構成を特に限定するものではない。また、本実施形態では、コンバータ回路３として、フライバック型のＤＣ−ＤＣコンバータを用いているが、これに限らず、例えば、フォワード型のＤＣ−ＤＣコンバータや他のＤＣ−ＤＣコンバータなどを用いてもよい。また、本実施形態の点灯装置２０を、実施形態１で説明した照明器具３０に用いてもよい。
【符号の説明】
【０１２９】
３  コンバータ回路
４  第１電源回路（電源回路）
５  制御回路
１５  放電回路
２０  点灯装置
２２  固体発光素子
３０  照明器具
Ｃ１  第１コンデンサ
Ｃ２  第２コンデンサ
Ｄ１  第１ダイオード
Ｄ２  第２ダイオード
Ｌ１  インダクタ（第１インダクタ）
Ｌ４  インダクタ（第２インダクタ）
Ｑ１  スイッチング素子
Ｔ１  トランス
【図１】
2014241261.tif 000003
【図２】
2014241261.tif 000004
【図３】
2014241261.tif 000005
【図４】
2014241261.tif 000006
【図５】
2014241261.tif 000007
【図６】
2014241261.tif 000008
【図７】
2014241261.tif 000009
【図８】
2014241261.tif 000010
【図９】
2014241261.tif 000011
【図１０】
2014241261.tif 000012